(57)【要約】【課題】水道水を活性化するための給水活性化装置において、給水量の変化にも十二分に活性化の目的を達成すること。【課題解決手段】負圧形成孔１２における、上端側の流入口１３に対し大径である下端側の吐出口１４を本体の外気吸入口３ａに連通させ、負圧形成孔１２の下端側の吐出口１４の下端開口面と、本体の下面の開口との間、空間Ｈ、整流リング、メッシュ板を介装したことを特徴とする給水活性化装置。負圧形成内装部品１０における、流入口１３の有効開口数を選択自在としたことを特徴とする給水活性化装置。【選択図】図１
2004300780.tif 000002
【特許請求の範囲】
【請求項１】
負圧形成孔１２における、上端側の流入口１３に対し大径である下端側の吐出口１４を本体の外気吸入口３ａに連通させ、
負圧形成孔１２の下端側の吐出口１４の下端開口面と、本体の下面の開口との間、空間Ｈ、整流リング、メッシュ板を介装したことを特徴とする給水活性化装置。
【請求項２】
負圧形成内装部品１０における、流入口１３の有効開口数を選択自在としたことを特徴とする、請求項１に記載する給水活性化装置。
【発明の詳細な説明】
【０００１】
【発明の属する技術分野】
本願発明は、給水路の先端（例えば、蛇口）に取り付ける給水補助具に関する。より詳しくは、水道水を活性化するための給水活性化装置に関するものである。
【０００２】
【従来の技術】
この種の給水活性化装置に関して、特開平１１−３００２３４号公開特許公報「活性水形成装置」（特許文献１）ぉょび特開平１１−１０４５２３号公開特許公報「洗髪台シャワーヘッド」（特許文献２）が存在する。いずれも、水道水を活性化するもので、負圧を利用して吸気用小孔より吸引した外気で混気ジェットを形成し、この混気ジェットを放出用小孔より放出するものである。
節水機能性がほとんどなく、給水圧力の変化により空気が混入しない場合があることの問題点があった。
また、泡沫発生部の流入口にオリフィスを利用したバルブなどを設けて流量を絞ってから、泡沫部に流入するという方法は、流入圧力に影響されやすく、低水圧であれば、空気が混入せず、泡沫にならない問題点があった。
【０００３】
【特許文献１】特開平１１−３００２３４号公開特許公報
【特許文献２】特開平１１−１０４５２３号公開特許公報、
【０００４】
【発明が解決しょうとする課題】
本発明は、水道水を活性化するための給水活性化装置において、給水量の変化にも十二分に活性化の目的を達成することを課題とする。
【０００５】
【課題を解決するための手段】
本願の発明の給水活性化装置は、負圧形成孔１２における、上端側の流入口１３に対し大径である下端側の吐出口１４を本体の外気吸入口３ａに連通させ、負圧形成孔１２の下端側の吐出口１４の下端開口面と、本体の下面の開口との間、空間Ｈ、整流リング、メッシュ板を介装したことを特徴とする。
【０００６】
【発明の実施態様】
以下、図面に示す実施例にもとづいて、本発明を詳細に説明する。
【０００７】
図１および図２を参照して、１は筒状の本体で上面１ａおよび下面１ｂを開口し、上部内面に給水金具（蛇口）に取付けるためのねじ２が形成されている。中間部に１０個の外気吸入口３が形成されている。
【０００８】
図３を参照して、筒状の本体１のねじ２の他、第１段部４の上方に第１内部空間５が、第２段部６の上方に第２内部空間７が、第３段部８の上方に第３内部空間９が、それぞれ形成されている。
【０００９】
図３に示す、負圧形成内装部品１０を筒状の本体の内部に挿入自在とする。挿入状態で、第１段部４と対応する段部１１を有し、図２を参照して、第１内部空間５および第２内部空間７の上半部を占有する。
【００１０】
同心状に配置された１０個の負圧形成孔１２を上下方向に貫通する。負圧形成孔１２は上端側の流入口１３に対し下端側の吐出口１４を大径（即ち断面積を大）とする。下端側の吐出口１４に環状横溝１５の内芯端を連通する。組立状態で図２を参照して環状横溝１５の外周端は外気吸入口３に連通している。
【００１１】
負圧形成内装部品１０の上面には上部挿入空間１６を形成し、該上部挿入空間１６には、図５の調整板２０および図６のメッシュ板３０を装着自在とする。
【００１２】
調整板２０は、図５を参照して、同芯状配置の２個の長孔２１と２個の短孔２２とを形成している。また、中心部に小孔２３、２４を形成している。
【００１３】
負圧形成内装部品１０の上面の上部挿入空間１６に調整板２０を戴置した状態で、開口状態の流入孔１３の個数を変更自在とする。図５の実施例では調整板２０の位置を小孔２３，２４と小孔１７（負圧形成内装部品１０の上面）との相対位置を選択することで１０個、６個、４個等の多段選択を自在とする。調整板２０の長孔２１と短孔２２の個数、位置の選択で１０個、８個、６個、４個の４段変更その他多段変更も可能である。また、長孔２１と短孔２２の個数、位置を異にする調整板２０を複数個用意することで、使用する調整板２０の選択で開口状態の流入口１３の個数を多段変更自在とすることも可能である。
【００１４】
図６はメッシュ板３０を示し、メッシュ面３１とリング状の支持枠３２とで構成している。
【００１５】
組立状態では、図２を参照して、メッシュ板３は、調整板２０の上に戴置して給水金具（蛇口）の給水口と対向している。さらに、２枚のメッシュ板３０が第３内部空間９に装備されている。
【００１６】
図２を参照して、本体１の周面中間部の外気吸入口３ａは環状横溝１５を介して負圧形成孔１２の下端側の吐出口１４と連通している。
第２内部空間７の下半部で、負圧形成孔１２の下端側の吐出口１４の存在する負圧形成内装部品１０の下面と、第３内部空間９のメッシュ板３の上面との間に空間Ｈが形成され、該空間Ｈの下方に、整流リング４０、２枚のメッシュ板３０がスナップリング５０で本体１に固定されている。整流リング４０は、図７を参照して、斜面４１、開口４０、周縁部４３を有する形状である。６０はパッキンである。
【００１７】
かくして、負圧形成内装部品１０は、流入口より、吐水口のほうが、大経の管（負圧形成孔）内を通ることにより、経の差が生じる場所に負圧ができ、その発生箇所に横穴（環状横溝１５および外気吸入口３ａ）を設け、外気との通風口のような役割りを生じることで、それにより、キャビテーションの発生を抑えることができ、高圧を噴射することができる。
【００１８】
吐水先（第２内部空間７の下半部Ｈ）の高圧水は、整流リング４０により整流されたのち、に、メッシュ面２１を通過することにより、高圧でありながら、空気混入量の多い、泡沫状の水流が可能になる。
【００１９】
かくして、図８を参照して、給水金具（蛇口）Ａに取付けた本願発明の給水活性化装置Ｂは、高圧でありながら、空気混入量の多い、泡沫状の水流が可能になる。給水活性化装置Ｂの下端よりは、高圧で、且つ、空気混入量の多い、泡沫状のジェット水流Ｐがほぼ垂直状に放水されることとなる。
【００２０】
調整板２０により有効な流入口の個数を選択自在としたので、水圧低下に対応できると共に、節水効果を発揮することができる。
【００２１】
第３内部空間９に位置して、活性炭メッシュ板、セラミックメッシュ板を装備することで、
高速にて噴射される水流を活性炭や、セラミックにぶつけることにより、いやし効果を生み出すことができる。
【００２２】
【効果】
本願発明の給水活性化装置Ｂは、低水圧時でも、空気を混入し、ジェット水流に変化することにより、少ない水量でも、高圧な吐水が可能になり、大幅な節水が行え、低水圧から高水圧の範囲で泡沫状の吐水が行い得る効果を有する。
【図面の簡単な説明】
【図１】本願発明の実施例を示す給水活性化装置の斜視図。
【図２】同じく縦断面図。
【図３】筒状の本体示し、ａ図は部分断面した正面図、ｂ図は平面図。
【図４】負圧形成内装部品を示し、ａ図は平面図、ｂ図は部分断面した正面図。
【図５】調整板を示し、ａ図は平面図、ｂ図は正面図。
【図６】メッシュ板を示し、ａ図は平面図、ｂ図は縦断面図。
【図７】整流リングを示し、ａ図は平面図、ｂ図は縦断面。
【図８】給水活性化装置の使用状態を示す略図。
【符号の説明】
１    筒状
３    外気吸入口
１０    負圧形成内装部品
１２  負圧形成孔
１３    流入口
１４    吐出口
１５    環状横溝
２０    調整板
３０    メッシュ板
４０  整流リング
５０    スナップリング
【図１】
2004300780.tif 000003
【図２】
2004300780.tif 000004
【図３】
2004300780.tif 000005
【図４】
2004300780.tif 000006
【図５】
2004300780.tif 000007
【図６】
2004300780.tif 000008
【図７】
2004300780.tif 000009
【図８】
2004300780.tif 000010